(57)【要約】【課題】運用コストを抑制しＬＥＤ光の照度損失を回避しつつ、照明領域における照度分布を均一化させることができる照明装置を提供する。【解決手段】ＬＥＤ照明装置１０は、長尺に形成された基板１５と、この基板１５の表面にレール状に形成される第１リフレクタ１１と、この基板１５の表面における第１リフレクタ１１を挟む両側の位置に列状配置される複数のＬＥＤ素子１６（１６ａ，１６ｂ）と、この基板１５の表面における複数のＬＥＤ素子１６（１６ａ，１６ｂ）及び第１リフレクタ１１を挟む両側の位置にレール状に形成される一対の第２リフレクタ１２（１２ａ，１２ｂ）と、を備えている。【選択図】図１
2020043770.tif 000002
【特許請求の範囲】
【請求項１】
長尺に形成された基板と、
前記基板表面にレール状に形成される第１リフレクタと、
前記基板表面における前記第１リフレクタを挟む両側の位置に、列状配置される複数のＬＥＤ素子と、
前記基板表面における前記複数のＬＥＤ素子及び前記第１リフレクタを挟む両側の位置に、レール状に形成される一対の第２リフレクタと、を備えることを特徴とするＬＥＤ照明装置。
【請求項２】
請求項１に記載のＬＥＤ照明装置において、
前記第１リフレクタの両側面には、前記ＬＥＤ素子の光軸方向に対して同じ方向の成分を含む法線を持つ第１反射面が、形成されているＬＥＤ照明装置。
【請求項３】
請求項１又は請求項２に記載のＬＥＤ照明装置において、
前記一対の第２リフレクタの内側面には、前記ＬＥＤ素子の光軸方向に対して同じ方向の成分を含む法線を持つ第２反射面が、形成されているＬＥＤ照明装置。
【請求項４】
請求項３に記載のＬＥＤ照明装置において、
前記第１反射面及び前記第２反射面は、断面視において共通する放物線上に形成されているＬＥＤ照明装置。
【請求項５】
請求項１から請求項４のいずれか１項に記載のＬＥＤ照明装置と、
植物を載置する棚板と、
前記ＬＥＤ照明装置及び前記棚板を、互いが対向する位置において支持する支持部材と、を備えることを特徴とする植物栽培棚。
【発明の詳細な説明】
【技術分野】
【０００１】
本発明は、ＬＥＤ（発光ダイオード）を光源に持つ照明装置及び植物栽培棚に関する。
【背景技術】
【０００２】
農産物栽培手法として、光、温度、二酸化炭素濃度などの内部環境が制御された閉鎖的な空間で植物を栽培する植物工場が注目されている。この植物工場によれば、（ｉ）天候に左右されずに狭い土地で植物を大量生産できる、（ii）無農薬、新鮮、清潔といった高付加価値の植物を安定供給できる、（iii）食の安全・安心、健康志向に合致する、といった多くの利点がある。
【０００３】
植物栽培用の照明装置として、高圧ナトリウムランプ、メタルハライドランプ、蛍光灯等を光源として利用したものが周知である。一方において近年では、省電力化や環境対策の観点から、これら従来の光源に替わり、ＬＥＤ（発光ダイオード）が光源として採用されつつある。
【０００４】
ＬＥＤは、従来の光源と比較した場合、消費電力が１／２〜１／４程度となりそれ自身の寿命も大幅に延びるために、植物工場の運営上の経費削減に貢献する。さらにＬＥＤは、従来の光源と比較して熱放射が少ないため近接照明しても植物の葉焼けを回避することができ、多段栽培を可能とし単位面積当たりの収穫量の向上にも貢献する。
【０００５】
しかし、ＬＥＤ照明は指向性が強いため、照明領域において、ＬＥＤの光軸が交わる中心部の照度が、縁側部の照度よりも大きくなり、照度分布にムラがある問題が指摘されている。このような照度分布にムラが存在すると植物の育成にもムラが生じてしまう。そして、この照度分布を均一にするために、乳白色に濁らせたり微細レンズで表面加工されたりした拡散板等を介し、ＬＥＤ照明を行う技術が公知となっている（例えば、特許文献１）。
【先行技術文献】
【特許文献】
【０００６】
【特許文献１】特開２０１７−１３１１８９号公報
【発明の概要】
【発明が解決しようとする課題】
【０００７】
しかし、上述の公知技術では、拡散板等を透過する際のＬＥＤ光の減衰に伴う照度損失により電力効率の低下を招く課題がある。さらに、ＬＥＤ光の照射領域に対応する面積の拡散板を用意する必要があり、運用コストの上昇を招く課題がある。
【０００８】
本発明はこのような事情を考慮してなされたもので、運用コストを抑制しＬＥＤ光の照度損失を回避しつつ、照明領域における照度分布を均一化させることができる照明装置及び植物栽培棚を提供することを目的とする。
【課題を解決するための手段】
【０００９】
本発明に係るＬＥＤ照明装置において長尺に形成された基板と、前記基板表面にレール状に形成される第１リフレクタと、前記基板表面における前記第１リフレクタを挟む両側の位置に列状配置される複数のＬＥＤ素子と、前記基板表面における前記複数のＬＥＤ素子及び前記第１リフレクタを挟む両側の位置にレール状に形成される一対の第２リフレクタと、を備えることを特徴とする。
【００１０】
本発明に係る植物栽培棚は、前記ＬＥＤ照明装置と、植物を載置する棚板と、前記ＬＥＤ照明装置及び前記棚板を互いが対向する位置において支持する支持部材と、を備えている。
【発明の効果】
【００１１】
本発明により、運用コストを抑制しＬＥＤ光の照度損失を回避しつつ、照明領域における照度分布を均一化させることができる照明装置及び植物栽培棚が提供される。
【図面の簡単な説明】
【００１２】
【図１】（Ａ）本発明の実施形態に係るＬＥＤ照明装置の斜視図、（Ｂ）その断面図、（Ｃ）変形例の断面図。
【図２】ＬＥＤ光源の指向特性の説明図。
【図３】ＬＥＤ光源の照度分布を示すグラフ。
【図４】本発明の第実施形態に係る植物栽培棚の斜視図。
【図５】（Ａ）実施例１における設計寸法が表記されたＬＥＤ素子、第１リフレクタ及び第２リフレクタの断面図、（Ｂ）実施例１におけるＬＥＤ照明装置の配光角分布グラフ。
【図６】（Ａ）実施例２における設計寸法が表記されたＬＥＤ素子、第１リフレクタ及び第２リフレクタの断面図、（Ｂ）実施例２におけるＬＥＤ照明装置の配光角分布グラフ。
【図７】（Ａ）実施例３における設計寸法が表記されたＬＥＤ素子、第１リフレクタ及び第２リフレクタの断面図、（Ｂ）実施例３におけるＬＥＤ照明装置の配光角分布グラフ。
【図８】（Ａ）実施例４における設計寸法が表記されたＬＥＤ素子、第１リフレクタ及び第２リフレクタの断面図、（Ｂ）実施例４におけるＬＥＤ照明装置の配光角分布グラフ。
【図９】（Ａ）実施例４におけるＬＥＤ照明装置の放射照度グラフ、（Ｂ）実施例４におけるＬＥＤ照明装置の配光画像。
【図１０】（Ａ）比較例１としてＬＥＤ素子のみの配置図、（Ｂ）比較例１におけるＬＥＤ照明装置の配光角分布グラフ。
【図１１】（Ａ）比較例１におけるＬＥＤ照明装置の放射照度グラフ、（Ｂ）比較例１におけるＬＥＤ照明装置の配光画像。
【図１２】（Ａ）実施例５におけるＬＥＤ照明装置の放射照度グラフ、（Ｂ）実施例５におけるＬＥＤ照明装置の配光画像。
【図１３】（Ａ）比較例２におけるＬＥＤ照明装置の放射照度グラフ、（Ｂ）比較例２におけるＬＥＤ照明装置の配光画像。
【発明を実施するための形態】
【００１３】
以下、本発明の実施形態を添付図面に基づいて説明する。
図１（Ａ）は実施形態に係るＬＥＤ照明装置１０の斜視図であり、図１（Ｂ）はその断面図であり、図１（Ｃ）は実施形態の変形例の断面図である。
【００１４】
図１（Ａ）に示すようにＬＥＤ照明装置１０は、長尺に形成された基板１５と、この基板１５の表面にレール状に形成される第１リフレクタ１１と、この基板１５の表面における第１リフレクタ１１を挟む両側の位置に列状配置される複数のＬＥＤ素子１６（１６ａ，１６ｂ）と、この基板１５の表面における複数のＬＥＤ素子１６（１６ａ，１６ｂ）及び第１リフレクタ１１を挟む両側の位置にレール状に形成される一対の第２リフレクタ１２（１２ａ，１２ｂ）と、を備えている。
【００１５】
図１（Ｂ）に示すように、ＬＥＤ照明装置１０は、第１リフレクタ１１の両側面には、ＬＥＤ素子１６（１６ａ，１６ｂ）の光軸方向Ｚに対して同じ方向の成分を含む法線Ｎ1を持つ第１反射面１７（１７ａ，１７ｂ）が形成されている。
【００１６】
なお第１リフレクタ１１の両側面に形成される反射面の傾きに特に限定はなく、この反射面の形状も特に限定はない。また、図１（Ｂ）に示されるフラット面を取る以外に図１（Ｃ）に示される曲面を取る場合もある。
【００１７】
ＬＥＤ素子１６（１６ａ，１６ｂ）は、植物の葉緑素（クロロフィル）における光合成に必要な波長領域の光を発光するものである。栽培対象の植物にあわせて、最適な波長を発光するＬＥＤ素子１６が選択される。この場合、光の３原色を混色させた白色ＬＥＤ素子１６を単独で基板１５の表面に配置させる場合の他に、赤、緑、青の原色をそれぞれ単色発光するＬＥＤ素子１６を組み合わせて基板１５の表面に配置させる場合がある。
【００１８】
ＬＥＤ素子１６の光度は、クロロフィルが吸収できる４００ｎｍから７００ｎｍまでの波長領域だけの光量子束密度で定義される光合成光量子束密度（ＰＰＦＤ；photosynthetic photon flux density）が、照明領域において最適値となるように設定される。
【００１９】
基板１５は、長尺状の平板からなる電子回路基板であって、表面側には複数のＬＥＤ素子１６が実装されている。また、ＬＥＤ素子１６と干渉しない位置に、このＬＥＤ素子１６に所定の電流を流すための電子回路（図示略）が配設されている。基板１５に設けられた電子回路は、複数の電子部品とこれらを接続する配線とから構成されている。この電子部品等を介して基板１５に電力が供給され、基板１５上に実装されたＬＥＤ素子１６に給電して発光させる。
【００２０】
ＬＥＤ照明装置１０は、ＬＥＤ素子１６、第１反射面１７及び第２反射面１８を実装させた基板１５を透明な円筒に収容し、口金形状や長さ等をそろえることにより、従来の直管蛍光灯と構造的に互換性をもたせることができる。また、基板１５は、平面に限定されることはなく、曲面を有するものを採用してもよい。
【００２１】
実施形態では、第１リフレクタ１１の両側に配置される一組のＬＥＤ素子１６（１６ａ，１６ｂ）を単位光源とみなし、これら一組のＬＥＤ素子１６（１６ａ，１６ｂ）に挟まれる第１リフレクタ１１の中心軸（Ｚ軸）をこの単位光源の光軸として取り扱う。このように、一組のＬＥＤ素子１６（１６ａ，１６ｂ）に挟まれる位置に第１リフレクタ１１が設けられることにより、ＬＥＤ素子１６（１６ａ，１６ｂ）の発光が、光軸（Ｚ軸）の周辺に集中する事が無くなる。これにより、光軸（Ｚ軸）が直交する照射面の中心のスポット的な高照度が、その周囲に拡散されることになる。
【００２２】
この第１反射面１７は、ＬＥＤ素子１６の発光が高効率に反射されるように、鏡面仕上げされたりコーティングしたりする等の周知の表面処理が施されている。これにより第１反射面１７の反射率は、メンテナンスフリーで、１００％に近い値を維持できる。
【００２３】
第２リフレクタ１２（１２ａ，１２ｂ）は、ＬＥＤ素子１６（１６ａ，１６ｂ）を挟んで第１リフレクタ１１とは反対の位置に配置されている。この第２反射面１８（１８ａ，１８ｂ）は、その法線Ｎ2がＬＥＤ素子１６の光軸方向Ｚに対して同じ方向の成分を含んでいる。これにより、この光軸が直交する照射面の中心から遠い周縁部分に配光されるＬＥＤ素子１６（１６ａ，１６ｂ）の発光が、第２反射面１８（１８ａ，１８ｂ）で反射して、この照射面の周縁部分よりも内側に配光されることになる。これにより、光軸が直交する照射面の中心側におけるスポット的な高照度が、相対的に緩和されることになる。
【００２４】
この第２反射面１８は、ＬＥＤ素子１６の発光が高効率に反射されるように、鏡面仕上げされたりコーティングしたりする等の周知の表面処理が施されている。これにより第２反射面１８の反射率は、メンテナンスフリーで、１００％に近い値を維持できる。なお、第２反射面１８の傾斜角は、光軸方向Ｚに対し３０°〜６５°の範囲とする。この第２反射面１８の傾斜角が３０°未満であったり傾斜角が６５°を超えたりすると、照射面の周縁部分からその内側に拡散される配光が少なくスポット的な高照度の解消に寄与しない。
【００２５】
図１（Ｃ）に示すように、ＬＥＤ素子１６の光軸を含む断面視において、第２リフレクタ１２の第２反射面１８も、第１リフレクタ１１の第１反射面１７と同様に、曲面である場合がある。
【００２６】
図２は、ＬＥＤ光源の指向特性の説明図である。平面光源のＬＥＤ素子１６を用いた場合、光軸方向Ｚにおける光度Ｉ0とすると、この光軸方向Ｚに対する入射角θ方向の光度Ｉθの指向特性はランバートの余弦則により次式（１）で表される。
Ｉθ＝Ｉ0ｃｏｓθ      （１）
【００２７】
そして、ＬＥＤ素子１６から距離ｄおいて光軸方向Ｚに直交する照射面１９上の交点である中心点０における照度Ｅ0とすると、ＬＥＤ素子１６から入射角θ方向に交わる照射面１９上の交点Ｐの照度Ｅθはコサイン４乗則により次式（２）で表される。
Ｅθ＝Ｅ0ｃｏｓ4θ      （２）
【００２８】
図３はＬＥＤ光源の照度分布を示すグラフである。グラフの横軸は光軸方向Ｚに対する入射角θで表し、縦軸はこの入射角θに対する照射面１９上の照度Ｅθを表している。さらに、破線は第１リフレクタ１１及び第２リフレクタ１２が存在しない場合を比較例として示したもので、上式（２）に基づく結果である。そして、実線は本実施形態における実施例を示したものである。
【００２９】
この実施例によれば、光軸方向Ｚに直交する照射面１９上の中心点０の照度Ｅ0が、第１リフレクタ１１の作用により、照度が中心点０における照度の半分以上になる角度範囲Ｗ´の周辺に拡散される。その結果、この中心点０におけるスポット的な高照度が緩和されて、照明領域における照度分布の均一化が図られる。さらに第２リフレクタ１２の作用により光軸方向Ｚから９０°に近い入射角θの発光が内側に配光される。その結果、照射面１９への到達が困難な入射角θの発光が中心点０の周辺の低照度領域に盛られ、照度分布の均一化が図られる。
【００３０】
これにより、実施例の角度範囲Ｗが、比較例の角度範囲Ｗ´よりも広がることになる。これにより、照射面１９の全面に亘る所定照度を確保するために、間隔を狭くしてＬＥＤ素子１６を配列させる必要がない。よって、ＬＥＤ素子１６の使用数を減らしてコスト低減に寄与することができる。さらに、乳白色に濁らせた拡散版等を使用せずに角度範囲Ｗを広げることができるため、照射面１９に近づけてＬＥＤ素子１６を設置することができる。これにより、ＬＥＤ素子１６の発光量を弱めて消費電力を削減し、ランニングコストを抑制することができる。
【００３１】
図４は本発明の実施形態に係る植物栽培棚２０の斜視図である。植物栽培棚２０は、ＬＥＤ照明装置１０と、植物を載置する棚板２３と、ＬＥＤ照明装置１０及び棚板２３を互いが対向する位置において支持する支持部材２２と、を備える。
【００３２】
間隔を設けて水平方向に設置された複数段（図示は３段）の棚板２３は、少なくとも四隅に設けられた支柱（支持部材２２）により支持されている。それぞれの棚板２３の上面には、栽培容器２４を介して植物（図示略）が載置される。そして、下段の棚板２３の上面に対向する上段の棚板２３の裏面には、複数のＬＥＤ照明装置１０が設けられている。なお、ＬＥＤ照明装置１０として、直線状のものを例示しているが、特に限定はなく面状のものを採用することもできる。また図示を省略しているが、栽培容器２４に水を供給するための給水装置が設けられる場合もある。また、床面に接する支持部材２２の箇所には、台車（図示略）が取り付けられており、植物栽培棚２０全体を容易に移動させることができる構成となっている。
【００３３】
実施形態に係る植物栽培棚２０は、ＬＥＤ照明装置１０の発光を、栽培容器２４に並べた複数株の植物に対し、照度分布を均一化させて照明することができる。これにより、複数株の植物の成長を均一化することができる。植物栽培棚２０は、ＬＥＤ光の減衰を伴う拡散板を使用せずに照度分布を均一化させることができるために、ＬＥＤ光の照度損失を回避して運用コストを抑制することができる。
【実施例】
【００３４】
以下、比較例及び実施例により本発明の実施形態を更に具体的に説明する。
【００３５】
図５（Ａ）は実施例１における設計寸法が表記されたＬＥＤ素子、第１リフレクタ及び第２リフレクタの断面図であり、図５（Ｂ）は実施例１におけるＬＥＤ照明装置の配光角分布グラフである。一方において、図１０（Ａ）は比較例１としてＬＥＤ素子のみの配置図であり、図１０（Ｂ）は比較例１におけるＬＥＤ照明装置の配光角分布グラフである。
【００３６】
実施例１では、最大光度を示す入射角が、比較例１における０°（図１０（Ｂ））から、±３０°に拡がっている。このことより、照射面の中心側におけるスポット的な高照度が、その周囲に拡散されたことが確認できる。さらに実施例１では、最大光度の半値光度を示す入射角（すなわち配光角）が、比較例１における±５８°（図１０（Ｂ））から、±５１°に狭まっている。このことより、照射面の周縁部分の配光が内側に配光されたことが確認できる。よってリフレクタ１１，１２は、照明領域における照度分布の均一化に寄与することが理解できる。
【００３７】
図６（Ａ）は実施例２における設計寸法が表記されたＬＥＤ素子、第１リフレクタ及び第２リフレクタの断面図であり、図６（Ｂ）は実施例２におけるＬＥＤ照明装置の配光角分布グラフである。実施例２では、実施例１よりもリフレクタ１１，１２が高く調整されている。これにより、配光角がさらに±４４°にまで狭まり、照明領域を狭めて高照度化した照度分布が均一に得られることが確認できる。
【００３８】
図７（Ａ）は実施例３における設計寸法が表記されたＬＥＤ素子、第１リフレクタ及び第２リフレクタの断面図であり、図７（Ｂ）は実施例３におけるＬＥＤ照明装置の配光角分布グラフである。実施例３では、リフレクタ１１，１２の反射面が、断面視において共通する放物線上に形成されさらにこの放物線の対称軸が内傾するように形成されている。これにより、配光角がさらに±３８°にまで狭まり、照明領域をさらに狭めて均一化した照度分布が得られることが確認できる。
【００３９】
図８（Ａ）は実施例４における設計寸法が表記されたＬＥＤ素子、第１リフレクタ及び第２リフレクタの断面図であり、図８（Ｂ）は実施例４におけるＬＥＤ照明装置の配光角分布グラフである。図９（Ａ）は実施例４におけるＬＥＤ照明装置の放射照度グラフであり、図９（Ｂ）は実施例４におけるＬＥＤ照明装置の配光画像である。そして図１１（Ａ）は比較例１におけるＬＥＤ照明装置の放射照度グラフであり、図１１（Ｂ）は比較例１におけるＬＥＤ照明装置の配光画像である。
【００４０】
実施例４では、第１リフレクタ１１の高さを、第２リフレクタ１２よりも高く調節している。さらにリフレクタ１１，１２の反射面が、断面視において共通する放物線上に形成されさらにこの放物線の対称軸が外傾するように形成されている。これにより、図９（実施例４）と図１１（比較例１）に対比されるように、実施例では、照度分布が極めて均一化（平坦化）した照明領域が得られることが確認できる。
【００４１】
図１２（Ａ）は実施例５におけるＬＥＤ照明装置の放射照度グラフであり、図１２（Ｂ）は実施例５におけるＬＥＤ照明装置の配光画像である。図１３（Ａ）は比較例２におけるＬＥＤ照明装置の放射照度グラフであり、図１３（Ｂ）は比較例２におけるＬＥＤ照明装置の配光画像である。
【００４２】
実施例５は、実施例１を二組用いて３５４ｍｍの間隔で並列に配置したものである。比較例２は、比較例１を二組用いて３５４ｍｍの間隔で並列に配置したものである。図１２（実施例５）と図１３（比較例２）に対比されるように、実施例では、並列に複数配置することにより、照度分布を均一化（平坦化）した照明領域を広範囲に得られることが確認できる。
【符号の説明】
【００４３】
１０…ＬＥＤ照明装置、１１…第１リフレクタ、１２…第２リフレクタ、１５…基板、１６…ＬＥＤ素子、１７…第１反射面、１８…第２反射面、１９…照射面、２０…植物栽培棚、２２…支持部材、２３…棚板、２４…栽培容器。
【図１】
2020043770.tif 000003
【図２】
2020043770.tif 000004
【図３】
2020043770.tif 000005
【図４】
2020043770.tif 000006
【図５】
2020043770.tif 000007
【図６】
2020043770.tif 000008
【図７】
2020043770.tif 000009
【図８】
2020043770.tif 000010
【図９】
2020043770.tif 000011
【図１０】
2020043770.tif 000012
【図１１】
2020043770.tif 000013
【図１２】
2020043770.tif 000014
【図１３】
2020043770.tif 000015
【手続補正書】
【提出日】平成30年10月26日(2018.10.26)
【手続補正１】
【補正対象書類名】特許請求の範囲
【補正対象項目名】全文
【補正方法】変更
【補正の内容】
【特許請求の範囲】
【請求項１】
長尺に形成された基板と、
前記基板表面に一本のレール状に形成され第１反射面を両側面に持つ第１リフレクタと、
前記基板表面における前記第１リフレクタを挟む両側の位置に、列状配置される複数のＬＥＤ素子と、
前記基板表面における前記複数のＬＥＤ素子及び前記第１リフレクタを挟む両側の位置に、レール状に形成される一対の第２リフレクタと、を備えることを特徴とするＬＥＤ照明装置。
【請求項２】
請求項１に記載のＬＥＤ照明装置において、
前記第１反射面は、前記ＬＥＤ素子の光軸方向に対して同じ方向の成分を含む法線を持つＬＥＤ照明装置。
【請求項３】
請求項１又は請求項２に記載のＬＥＤ照明装置において、
前記一対の第２リフレクタの内側面には、前記ＬＥＤ素子の光軸方向に対して同じ方向の成分を含む法線を持つ第２反射面が、形成されているＬＥＤ照明装置。
【請求項４】
請求項３に記載のＬＥＤ照明装置において、
前記第１反射面及び前記第２反射面は、断面視において共通する放物線上に形成されているＬＥＤ照明装置。
【請求項５】
請求項１から請求項４のいずれか１項に記載のＬＥＤ照明装置と、
植物を載置する棚板と、
前記ＬＥＤ照明装置及び前記棚板を、互いが対向する位置において支持する支持部材と、を備えることを特徴とする植物栽培棚。
【手続補正２】
【補正対象書類名】明細書
【補正対象項目名】０００９
【補正方法】変更
【補正の内容】
【０００９】
本発明に係るＬＥＤ照明装置において、長尺に形成された基板と、前記基板表面に一本のレール状に形成され第１反射面を両側面に持つ第１リフレクタと、前記基板表面における前記第１リフレクタを挟む両側の位置に列状配置される複数のＬＥＤ素子と、前記基板表面における前記複数のＬＥＤ素子及び前記第１リフレクタを挟む両側の位置にレール状に形成される一対の第２リフレクタと、を備えることを特徴とする。
【手続補正書】
【提出日】平成31年2月14日(2019.2.14)
【手続補正１】
【補正対象書類名】特許請求の範囲
【補正対象項目名】全文
【補正方法】変更
【補正の内容】
【特許請求の範囲】
【請求項１】
長尺に形成された基板と、
前記基板表面に一本のみでレール状に形成され第１反射面を両側面に持つ第１リフレクタと、
前記基板表面における前記第１リフレクタを挟む両側の位置に、列状配置される複数のＬＥＤ素子と、
前記基板表面における前記複数のＬＥＤ素子及び前記第１リフレクタを挟む両側の位置に、二本のみでレール状に形成され、前記ＬＥＤ素子の光軸方向に対して傾斜角が３０°〜６５°の範囲である第２反射面が内側面に形成されている一対の第２リフレクタと、を備えることを特徴とするＬＥＤ照明装置。
【請求項２】
請求項１に記載のＬＥＤ照明装置において、
前記第１反射面は、前記ＬＥＤ素子の光軸方向に対して同じ方向の成分を含む法線を持つＬＥＤ照明装置。
【請求項３】
請求項１又は請求項２に記載のＬＥＤ照明装置において、
前記第１反射面及び前記第２反射面は、断面視において共通する放物線上に形成されているＬＥＤ照明装置。
【請求項４】
請求項１から請求項３のいずれか１項に記載のＬＥＤ照明装置と、
植物を載置する棚板と、
前記ＬＥＤ照明装置及び前記棚板を、互いが対向する位置において支持する支持部材と、を備えることを特徴とする植物栽培棚。
【手続補正２】
【補正対象書類名】明細書
【補正対象項目名】０００９
【補正方法】変更
【補正の内容】
【０００９】
本発明に係るＬＥＤ照明装置において、長尺に形成された基板と、前記基板表面に一本のみでレール状に形成され第１反射面を両側面に持つ第１リフレクタと、前記基板表面における前記第１リフレクタを挟む両側の位置に列状配置される複数のＬＥＤ素子と、前記基板表面における前記複数のＬＥＤ素子及び前記第１リフレクタを挟む両側の位置に二本のみでレール状に形成され前記ＬＥＤ素子の光軸方向に対して傾斜角が３０°〜６５°の範囲である第２反射面が内側面に形成されている一対の第２リフレクタと、を備えることを特徴とする。